(57)【要約】【課題】物品の緩衝保護効果を高め、購入者が直接物品の色やサイズなどを知ることができるようにすると共に、緩衝包装の構造により物品の密封状態を確保し、効果的に消費上の紛糾を減少して製品メーカーのブランドイメージを向上する、折り曲げ可能な多段式緩衝包装袋の提供。【解決手段】本発明の折り曲げ可能な多段式緩衝包装袋は物品の包装に用いられ、包装箱、第一密封袋シート、第二密封袋シート、光反射片を含み、そのうち、第二密封袋シートの一端が第一密封袋シートに連結されて第一密封袋シートと相通され、且つ第一密封袋シートの複数の第一緩衝区域と第二密封袋シートの複数の第二緩衝区域が相互に対応し、各第二緩衝区域と対応する第一緩衝区域の三側辺を熱シールで接着して物品を収容するための収容空間を形成し、且つ少なくとも１つの第二緩衝区域を包装箱の窓部に嵌入させて第一密封袋シートと第二密封袋シートを包装箱内に位置決めすると共に、光反射片を利用して光線を物品に反射させる。【選択図】図１
2009161245.tif 000002
【特許請求の範囲】
【請求項１】
物品の包装に用いる折り曲げ可能な多段式緩衝包装袋であって、
複数の第一緩衝区域を含む第一密封袋シートと、
複数の第二緩衝区域を含む第二密封袋シートと、
前記第一密封袋シートの、前記第二密封袋シート付近の側面に貼付されて光線を前記物品に反射するために用いる光反射片を含み、
前記第二密封袋シートの一端が前記第一密封袋シートに連結されて前記第一密封袋シートと相互に連通され、
前記複数の第二緩衝区域と前記複数の第一緩衝区域が相互に対応し、
各前記第二緩衝区域と対応する前記第一緩衝区域の三側辺を熱シールで接着して前記物品を収容するための収容空間を形成し、且つ、
前記第一密封袋シートと前記第二密封袋シートで前記物品を緩衝保護することを特徴とする、折り曲げ可能な多段式緩衝包装袋。
【請求項２】
前記第一密封袋シートと前記第二密封袋シートのいずれかの一端に配置された気体注入路をさらに含むことを特徴とする、請求項１に記載の折り曲げ可能な多段式緩衝包装袋。
【請求項３】
連続式気体逆止弁をさらに含み、前記連続式気体逆止弁が複数の気体進入口を含み、前記気体注入路と前記第一密封袋シート、前記第二密封袋シートのうちのいずれかを連通するために用いられ、前記気体注入路の気体を前記第一密封袋シートと前記第二密封袋シートに進入させ、気体を充填して膨張させることを特徴とする、請求項２に記載の折り曲げ可能な多段式緩衝包装袋。
【請求項４】
前記複数の第一緩衝区域と前記複数の第二緩衝区域のうちのいずれかに配置された連続式気体逆止弁をさらに含むことを特徴とする、請求項１に記載の折り曲げ可能な多段式緩衝包装袋。
【請求項５】
前記収容空間の開口箇所に配置され、前記収容空間を封鎖するために用いられる封鎖部材をさらに含むことを特徴とする、請求項１に記載の折り曲げ可能な多段式緩衝包装袋。
【請求項６】
前記第一密封袋シートと前記第二密封袋シートのいずれかの一端に配置された位置決め部材をさらに含むことを特徴とする、請求項１に記載の折り曲げ可能な多段式緩衝包装袋。
【請求項７】
前記位置決め部材が、ハンドルまたは穿通孔のいずれかであることを特徴とする、請求項６に記載の折り曲げ可能な多段式緩衝包装袋。
【請求項８】
前記第一密封袋シートの前記光反射片が貼付されていない側面に貼付された色付片をさらに含むことを特徴とする、請求項１に記載の折り曲げ可能な多段式緩衝包装袋。
【請求項９】
前記複数の第一緩衝区域の間と前記複数の第二緩衝区域の間に配置された複数のヒートシール点をさらに含み、前記複数の第一緩衝区域と前記複数の第二緩衝区域を前記複数のヒートシール点に沿って折り曲げることができることを特徴とする、請求項１に記載の折り曲げ可能な多段式緩衝包装袋。
【請求項１０】
前記複数の第二緩衝区域と前記複数の第一緩衝区域において、前記収容空間の開口箇所を熱シールで接着して前記収容空間を封鎖することを特徴とする、請求項１に記載の折り曲げ可能な多段式緩衝包装袋。
【請求項１１】
物品を包装するために用いる折り曲げ可能な多段式緩衝包装袋であって、
少なくとも１つの窓部を含む包装箱と、
複数の第一緩衝区域を含む第一密封袋シートと、
複数の第二緩衝区域を含む第二密封袋シートと、
前記第一密封袋シートの前記第二密封袋シート付近の側面に貼付されて光線を前記物品に反射するために用いる光反射片を含み、
前記第二密封袋シートの一端が前記第一密封袋シートに連結されて前記第一密封袋シートと相互に連通され、
前記複数の第二緩衝区域と前記複数の第一緩衝区域が相互に対応し、
各前記第二緩衝区域と対応する前記第一緩衝区域の三側辺を熱シールで接着して前記物品を収容するための収容空間を形成し、且つ、
前記第一密封袋シートと前記第二密封袋シートで前記物品を緩衝保護すると共に、少なくとも１つの前記第二緩衝区域が前記窓部に嵌入されて前記第一密封袋シートと前記第二密封袋シートが前記包装箱内に位置決めされることを特徴とする、折り曲げ可能な多段式緩衝包装袋。
【請求項１２】
前記第一密封袋シートと前記第二密封袋シートのいずれかの一端に配置された気体注入路をさらに含むことを特徴とする、請求項１１に記載の折り曲げ可能な多段式緩衝包装袋。
【請求項１３】
連続式気体逆止弁をさらに含み、前記連続式気体逆止弁が複数の気体進入口を含み、前記気体注入路と前記第一密封袋シート、前記第二密封袋シートのうちのいずれかを連通するために用いられ、前記気体注入路の気体を前記第一密封袋シートと前記第二密封袋シートに進入させ、気体を充填して膨張させることを特徴とする、請求項１２に記載の折り曲げ可能な多段式緩衝包装袋。
【請求項１４】
前記複数の第一緩衝区域と前記複数の第二緩衝区域のうちのいずれかに配置された連続式気体逆止弁をさらに含むことを特徴とする、請求項１１に記載の折り曲げ可能な多段式緩衝包装袋。
【請求項１５】
前記収容空間の開口箇所に配置され、前記収容空間を封鎖するために用いられる封鎖部材をさらに含むことを特徴とする、請求項１１に記載の折り曲げ可能な多段式緩衝包装袋。
【請求項１６】
前記第一密封袋シートと前記第二密封袋シートのいずれかの一端に配置された位置決め部材をさらに含むことを特徴とする、請求項１１に記載の折り曲げ可能な多段式緩衝包装袋。
【請求項１７】
前記位置決め部材がハンドルまたは穿通孔のいずれかであることを特徴とする、請求項１６に記載の折り曲げ可能な多段式緩衝包装袋。
【請求項１８】
前記第一密封袋シートの前記光反射片が貼付されていない側面に貼付された色付片をさらに含むことを特徴とする、請求項１１に記載の折り曲げ可能な多段式緩衝包装袋。
【請求項１９】
前記複数の第一緩衝区域の間と前記複数の第二緩衝区域の間に配置された複数のヒートシール点をさらに含み、前記複数の第一緩衝区域と前記複数の第二緩衝区域を前記複数のヒートシール点に沿って折り曲げることができることを特徴とする、請求項１１に記載の折り曲げ可能な多段式緩衝包装袋。
【請求項２０】
前記複数の第二緩衝区域と前記複数の第一緩衝区域において、前記収容空間の開口箇所を熱シールで接着して前記収容空間を封鎖することを特徴とする、請求項１１に記載の折り曲げ可能な多段式緩衝包装袋。
【発明の詳細な説明】
【技術分野】
【０００１】
本発明は緩衝包装袋に関し、特に、折り曲げ可能な多段式緩衝包装袋に関する。
【背景技術】
【０００２】
一般に物品を包装するときは、スポンジや発泡スチロール等の軟性を利用して物品に緩衝保護を提供する。しかし、スポンジや発泡スチロールは環境の問題を引き起こし、環境保護意識が高まる今日、発泡スチロールは理想的な緩衝材料とは言えなくなっている。このほか、スポンジや発泡スチロールで物品を包装した後、それを直接紙箱内に入れて物品を便利に運搬できるようにしている。
【０００３】
しかしながら、物品を紙箱内に入れた後、購入者は直接物品を見ることができず、紙箱の外に印刷された物品の図案を見て物品の内容を判断するしかなく、このような方法は不便であるだけでなく、容易に物品の図案により物品の色やサイズの判断を誤り、購入者が箱を開けた後物品に不満を感じ、返品や交換を要求して店側に多大な負担となっている。このほか、携帯電話等電子製品の場合、価格競争が激しく、購入者を引き付けて購入を促すため、多くの販売店が非常に低価格で販促を行っているが、購入者が購入して箱を開けた後、携帯電話がすでに使用されたものであったり、同梱の付属品が店側によって差し替えられていたりしたことに気づき、店側と購入者間でもめる、といったことが頻繁にあり、これはまた間接的に携帯電話等電子製品メーカーのブランドイメージを傷つけることにもつながる。
【０００４】
このことから分かるように、緩衝包装及び外箱の構造をいかに改良し、物品の緩衝保護効果を高め、また外箱の中の物品を見えるようにして購入者が直接物品の色やサイズなどを知ることができるようにすると共に、緩衝包装の構造により物品の密封状態を確保し、物品が使用されたり、付属品が差し替えられたりするのを防ぎ、効果的に消費上の紛糾を減少し、さらには製品メーカーのブランドイメージを向上するかが、本発明の発明者及び関連産業の技術領域に従事する者が改善を図る課題である。
【発明の開示】
【発明が解決しようとする課題】
【０００５】
前述の問題に鑑みて、本発明の目的は、物品の緩衝保護効果を高め、また外箱の中の物品を見えるようにして購入者が直接物品の色やサイズなどを知ることができるようにすると共に、緩衝包装の構造により物品の密封状態を確保し、物品が使用されたり、付属品が差し替えられたりするのを防ぎ、効果的に消費上の紛糾を減少し、製品メーカーのブランドイメージを向上することができる、折り曲げ可能な多段式緩衝包装袋を提供することにある。
【課題を解決するための手段】
【０００６】
本発明の折り曲げ可能な多段式緩衝包装袋は物品の包装に用いられ、複数の第一緩衝区域を含む第一密封袋シートと、複数の第二緩衝区域を含む第二密封袋シートと、光反射片を含み、前記第二密封袋シートは一端が前記第一密封袋シートに連結されて該第一密封袋シートと相互に連通され、前記複数の第二緩衝区域と前記複数の第一緩衝区域が相互に対応し、各第二緩衝区域と対応する第一緩衝区域の３つの側辺部が熱シールにより接着されて物品を収容するための収容空間が形成され、且つ第一密封袋シートと第二密封袋シートで物品を緩衝保護すると共に、前記光反射片は前記第一密封袋シートの第二密封袋シート付近の側面に貼付され、光線を物品に反射するために用いられる。
【０００７】
本発明の折り曲げ可能な多段式緩衝包装袋は物品の包装に用いられ、少なくとも１つの窓部を備えた包装箱と、複数の第一緩衝区域を含む第一密封袋シートと、複数の第二緩衝区域を含む第二密封袋シートと、光反射片を含み、前記第二密封袋シートは一端が前記第一密封袋シートに連結されて該第一密封袋シートと相互に連通され、前記複数の第二緩衝区域と前記複数の第一緩衝区域が相互に対応し、各第二緩衝区域と対応する第一緩衝区域の３つの側辺部が熱シールにより接着されて物品を収容するための収容空間が形成され、且つ第一密封袋シートと第二密封袋シートで物品を緩衝保護し、さらに少なくとも１つの前記第二緩衝区域が前記窓部に嵌入され、前記第一密封袋シートと前記第二密封袋シートが前記包装箱内に位置決めされると共に、前記光反射片は前記第一密封袋シートの第二密封袋シート付近の側面に貼付され、光線を物品に反射するために用いられる。
【発明の効果】
【０００８】
本発明の第一緩衝区域と第二緩衝区域は同じ寸法または異なる寸法で設置することができ、これにより異なるサイズの物品の収容し、セットの物品（携帯電話とその付属品など）の収納に便利であり、且つ第一密封袋シートと第二密封袋シートで物品を緩衝保護し、物品が運搬時に揺れて破損するのを防止でき、同時に収納された物品が使用または交換されるのを防いで消費上の紛糾を効果的に減少し、製品メーカーのブランドイメージを向上することができる。さらに、第二緩衝区域を包装箱の窓部に嵌入し、第一密封袋シートと第二密封袋シートを包装箱内に位置決めできるだけでなく、包装の視覚効果を増進することができ、元々は包装箱内の内包装を外包装の一部分とし、これにより使用者に直接包装された物品を見ることができるようにし、包装箱の印刷図案と物品に誤差があり消費上の紛糾を引き起こすことがないようにすることができる。
【発明を実施するための最良の形態】
【０００９】
本発明の最良の実施例及びその効果について、以下、図面に基づき詳細に説明する。
【実施例１】
【００１０】
図１、図２、図３Ａ及び図３Ｂに本発明の実施例１を示す。図１に立体図、図２に物品を入れた状態の立体図、図３Ａに平面図、図３Ｂに部分断面図をそれぞれ示す。
【００１１】
本発明の折り曲げ可能な多段式緩衝包装袋は、密封袋シート１、光反射片３１を含む。
【００１２】
密封袋シート１は２枚の外フィルム２ａと２ｂを上下に重ね合わせた後、熱シールの手段で接着して複数の密封袋１０ａを形成し、且つ相互に連通した第一密封袋シート１１と第二密封袋シート１２に分けることができる。そのうち、第一密封袋シート１１は複数の縦に繋がった第一緩衝区域１１１から構成され、第二密封袋シート１２は一端が第一密封袋シート１１に連結され、複数の縦に繋がった第二緩衝区域１２１から構成される。
【００１３】
さらに、複数の第二緩衝区域１２１はそれぞれ複数の第一緩衝区域１１１と相互に対応し、複数の第二緩衝区域１２１の寸法、大きさは同じまたは異なるように設けることができ、各第二緩衝区域１２１に相互に対応する第一緩衝区域１１１の寸法、大きさは同じとし、且つその三側辺を熱シールで接着し、収容空間１０ｂを形成する。複数の第二緩衝区域１２１の寸法、大きさを同じとした場合、各収容空間１０ｂの大きさは同じとなり、複数の第二緩衝区域１２１の寸法、大きさを異なるよう設けた場合、各収容空間１０ｂの大きさは第二緩衝区域１２１の寸法、大きさによって異なり、異なる物品９を収納することができる。第一密封袋シート１１と第二密封袋シート１２に気体を充填して膨張させると、第一密封袋シート１１と第二密封袋シート１２で物品９を緩衝保護することができる。
【００１４】
光反射片３１は第一密封袋シート１１の第二密封袋シート１２付近の側面に貼付され、光線を物品９に反射するために用いられる。そのうち、光反射片３１はアルミ箔、または一面に光を反射する性質を備えた材質から成るものとすることができる。
【００１５】
本発明の折り曲げ可能な多段式緩衝包装袋はさらに、気体注入路１３と連続式気体逆止弁１４を含み、そのうち、気体注入路１３は第一密封袋シート１１の一端に設置され、連続式気体逆止弁１４は複数の気体進入口１４１と気体通路１４２が設けられ、気体注入路１３と第一密封袋シート１１を連通するために用いられ、気体注入路１３の気体が気体進入口１４１と気体通路１４２を経由して各密封袋１０ａと注入され、第一密封袋シート１１と第二密封袋シート１２に気体を充填して膨張させることができる。さらに、気体注入路１３は第二密封袋シート１２の一端に設置してもよく、連続式気体逆止弁１４が気体注入路１３と第二密封袋シート１２を連通するようにすることもできる。
【００１６】
上述の説明における連続式気体逆止弁１４は、二枚の内フィルム１ａと１ｂを熱シールの手段で接着して形成することができ、そのうち、２枚の内フィルム１ａと１ｂは外フィルム２ａまたは２ｂに貼付され、２枚の内フィルム１ａと１ｂの間に順に間を隔てて耐熱材料１ｃを塗布し、例えば印刷方式で耐熱ペーストまたはインクを印刷して、熱シールの手段を経ても２枚の内フィルム１ａと１ｂは接着されず、気体進入口１４１が形成されるようにする。気体注入路１３に気体を注入して膨張させるとき、２枚の外フィルム２ａと２ｂが外側に向かって開かれ、各気体進入口１４１が開かれて気体が各気体通路１４２に沿って各密封袋１０ａに進入し、気体を充填して膨張させることができる。さらに、２枚の内フィルム１ａ、１ｂの相対する二側辺と２枚の外フィルム２ａと２ｂの対応する二側辺を切り揃え（図３Ａ参照）、２枚の内フィルム１ａ、１ｂの相対する別の二側辺が２枚の外フィルム２ａ、２ｂに対応する別の二側辺を超過しないようにする（図３Ｂ参照）。
【００１７】
密封袋１０ａに気体を充填して膨張させた後、密封袋１０ａの気体の内部圧力が２枚の内フィルム１ａと１ｂを圧迫して外フィルム２ａまたは２ｂに緊密に貼り付かせ（構造の違いにより、２枚の内フィルム１ａと１ｂは外フィルム２ａまたは２ｂに貼り付かせずに密封袋１０ａ中に懸掛させてもよい）、気体通路１４２を覆って密封袋１０ａを封鎖し、密封袋１０ａ内の気体が外部に漏れ出ないようにする効果を達することができる。
【００１８】
本発明の折り曲げ可能な多段式緩衝包装袋はさらに、色付片３２を含み、第一密封袋シート１１の光反射片３１を貼付していない側面に貼付することができる。そのうち、色付片３２の色は物品９の違いに基づき変化させ、視覚効果を増進することができる。このほか、２つの第一緩衝区域１１１の間、第一緩衝区域１１１と第二緩衝区域１２１の間、２つの第二緩衝区域１２１の間に複数のヒートシール点１８を設けてもよく、複数の第一緩衝区域１１１と複数の第二緩衝区域１２を該複数のヒートシール点１８に沿って折り曲げられるようにすることができる。
【００１９】
物品９を収容空間１０ｂに入れた後、各第二緩衝区域１２１と対応する第一緩衝区域１１１を熱シールして収容空間１０ｂの開口箇所を接着し、収容空間１０ｂを封鎖して物品９を緩衝保護することができる。さらに、収容空間１０ｂが熱シールによる接着で密封されることにより、収納された物品９が使用されたり、交換されたりしないようにし、消費上の紛糾を効果的に減少し、製品メーカーのブランドイメージを向上することができる。このほか、本発明は物品９を包装した後重ねて置くことができ、使用者の運送または収納に便利である。
【実施例２】
【００２０】
図４Ａと図４Ｂに本発明の実施例２を示す。図４Ａに平面図、図４Ｂに断面図をそれぞれ示す。
【００２１】
連続式気体逆止弁１４は第一緩衝区域１１１に設置することもでき、気体は気体進入口１４１と気体通路１４２を経由して各密封袋１０ａに注入され、第一密封袋シート１１と第二密封袋シート１２に気体を充填して膨張させることができる。且つ、密封袋１０ａに気体を充填して膨張させた後、密封袋１０ａの気体の内部圧力が２枚の内フィルム１ａと１ｂを圧迫して外フィルム２ａまたは２ｂに貼り付かせ（構造の違いにより、２枚の内フィルム１ａと１ｂは外フィルム２ａまたは２ｂに貼り付かせずに密封袋１０ａ中に懸掛させてもよい）、気体通路１４２を覆って密封袋１０ａを封鎖することができる。さらに、連続式気体逆止弁１４は第二緩衝区域１２１に設置することもできる。
【実施例３】
【００２２】
図５Ａと図５Ｂに本発明の実施例３を示す。図５Ａに外観図１、図５Ｂに外観図２をそれぞれ示す。
【００２３】
本発明の折り曲げ可能な多段式緩衝包装袋はさらに、位置決め部材１５を含むことができ、第一密封袋シート１１と第二密封袋シート１２のいずれか一方の一端に配置される。そのうち、位置決め部材１５はハンドル（図５Ａ参照）として使用者が便利に携帯できるようにすることができる。あるいは位置決め部材１５は穿通孔（図５Ｂ参照）として使用者が密封袋シート１を掛けて物品９を収納しやすいようにすることもできる。
【実施例４】
【００２４】
図６Ａと図６Ｂに本発明の実施例４を示す。図６Ａに外観図１、図６Ｂに外観図２をそれぞれ示す。
【００２５】
本発明の折り曲げ可能な多段式緩衝包装袋はさらに、封鎖部材１６を含み、収容空間１０ｂの開口箇所の上縁部に周設し、収容空間１０ｂと外界空間を阻隔するために用いることができる。使用者は封鎖部材１６を利用して収容空間１０ｂの開閉を繰り返すことができ、繰り返し使用するという目的を達することができる。そのうち、各収容空間１０ｂにそれぞれ１つの封鎖部材１６を設置するか（図６Ａ参照）、あるいは複数の収容空間１０ｂで同一の封鎖部材１６を共用することもできる（図６Ｂ参照）。
【実施例５】
【００２６】
図７Ａと図７Ｂに本発明の実施例５を示す。図７Ａに立体図１、図７Ｂに立体図２をそれぞれ示す。
【００２７】
本発明の折り曲げ可能な多段式緩衝包装袋はさらに、中空状の窓部５１を設けた包装箱５を含み、そのうち、包装箱５の外側表面には製品９の印刷図案を印刷することができ、あるいは包装箱５の外側表面に光反射面を印刷することもできる。さらに、窓部５１の形状、大きさは物品９の違いに基づいて変えることができる。このほか、包装箱５上にハンドル５２を設け、使用者が便利に包装箱５を携帯できるようにしてもよい。
【００２８】
物品９を収容空間１０ｂに入れた後、第二緩衝区域１２を包装箱５の窓部５１に嵌入させ、これにより第一密封袋シート１１と第二密封袋シート１２を包装箱５内に位置決めし、使用者が収容空間１０ｂ内に入れられた物品９を直接見ることができるようにして包装箱５の印刷図案と物品９間の誤差のために消費上の紛糾が発生するのを回避することができるだけでなく、さらに元々包装箱５内の内包装の部分を外包装の一部分として利用し、同時に包装箱５の外側表面の印刷を組み合わせ、且つ光反射片３１で光線を物品９に反射し、物品包装の視覚効果を効果的に向上して消費者の購買意欲をかきたてることができる。
【００２９】
前述の説明における連続式気体逆止弁１４は２枚の内フィルム１ａと１ｂを熱シールの手段で接着して形成したものを例としたが、これに限らないものとし、また２枚の外フィルム２ａと２ｂの間に１枚の内フィルム１ｂのみを設置し、且つ内フィルム１ｂと外フィルム２ｂの間に耐熱材料１ｃを塗布して熱シール手段を経た後内フィルム１ｂと外フィルム２ｂが接着されないようにして連続式気体逆止弁１４を形成することもできることをここで説明しておく。
【００３０】
本発明の技術内容は上述の最良の実施例を以って開示したが、上述の説明は本発明を制限するものではなく、関連技術を熟知する者であれば本発明の要旨を逸脱せずに変更や修飾が可能であり、それらはすべて本発明の範疇内に含まれるものとする。このため、本発明の保護範囲は特許請求の範囲において定める通りとする。
【図面の簡単な説明】
【００３１】
【図１】本発明の実施例１の折り曲げ可能な多段式緩衝包装袋の立体図である。
【図２】本発明の実施例１の折り曲げ可能な多段式緩衝包装袋の物品を入れた状態の断面図である。
【図３Ａ】本発明の実施例１の折り曲げ可能な多段式緩衝包装袋の平面図である。
【図３Ｂ】本発明の実施例１の折り曲げ可能な多段式緩衝包装袋の部分断面図である。
【図４Ａ】本発明の実施例２の折り曲げ可能な多段式緩衝包装袋の平面図である。
【図４Ｂ】本発明の実施例２の折り曲げ可能な多段式緩衝包装袋の断面図である。
【図５Ａ】本発明の実施例３の折り曲げ可能な多段式緩衝包装袋の外観図１である。
【図５Ｂ】本発明の実施例３の折り曲げ可能な多段式緩衝包装袋の外観図２である。
【図６Ａ】本発明の実施例４の折り曲げ可能な多段式緩衝包装袋の外観図１である。
【図６Ｂ】本発明の実施例４の折り曲げ可能な多段式緩衝包装袋の外観図２である。
【図７Ａ】本発明の実施例５の折り曲げ可能な多段式緩衝包装袋の立体図１である。
【図７Ｂ】本発明の実施例５の折り曲げ可能な多段式緩衝包装袋の立体図２である。
【符号の説明】
【００３２】
１          密封袋シート
１ａ／１ｂ  内フィルム
１ｃ        耐熱材料
１０ａ      密封袋
１０ｂ      収容空間
１１        第一密封袋シート
１１１      第一緩衝区域
１２        第二密封袋シート
１２１      第二緩衝区域
１３        気体注入路
１４        連続式気体逆止弁
１４１      気体進入口
１４２      気体通路
１５        位置決め部材
１６        封鎖部材
１８        ヒートシール点
２ａ／２ｂ  外フィルム
３１        光反射片
３２        色付片
５          包装箱
５１        窓部
５２        ハンドル
９          物品
【図１】
2009161245.tif 000003
【図２】
2009161245.tif 000004
【図３Ａ】
2009161245.tif 000005
【図３Ｂ】
2009161245.tif 000006
【図４Ａ】
2009161245.tif 000007
【図４Ｂ】
2009161245.tif 000008
【図５Ａ】
2009161245.tif 000009
【図５Ｂ】
2009161245.tif 000010
【図６Ａ】
2009161245.tif 000011
【図６Ｂ】
2009161245.tif 000012
【図７Ａ】
2009161245.tif 000013
【図７Ｂ】
2009161245.tif 000014